(57)【要約】  【課題】仕切体を有する観音式の扉において、室内の使い勝手や意匠性を阻害せず、少ない力で開くことのできる扉装置を提供する。  【解決手段】仕切体３１を取付けた左冷蔵室扉２４に対応するヒンジ２５より遠い側に背の高い第１案内ピン３４、ヒンジに近い側には高さの低い第２案内ピン３５を設け、仕切体３７には扉閉の状態で庫内側に位置する側に第１案内ピンに対応する高さの低い第１カム３７、庫外側に位置する側には高さの高い第２カム３８を設けたことにより仕切体を有する観音式の扉において、室内の使い勝手や意匠性を阻害せず、少ない力で開くことのできる扉装置を提供することができる。【選択図】図３
2007064600.tif 000002
【特許請求の範囲】
【請求項１】
冷蔵庫等に設けられた収納室と、前記収納室の開口部の左右両側に一側部が枢支され、回動により前記開口部を開閉する第１の扉と第２の扉と、前記第１の扉と第２の扉のいずれか一方の扉における反枢支側の側部の内側面に上下方向に取付けられ、回動が可能な仕切体とを備えたものにおいて、前記収納室の開口部の上縁部または下縁部のうち一方に併設して高さが異なる２つの案内ピンを設け、前記２つの案内ピンと係合するカムを前記仕切体の端部に設け、前記仕切体を有する扉の開動作と閉動作とで異なる案内ピンに当接することを特徴とする冷蔵庫の扉装置。
【請求項２】
冷蔵庫等に設けられた収納室と、前記収納室の開口部の左右両側に一側部が枢支され、回動により前記開口部を開閉する第１の扉と第２の扉と、前記第１の扉と第２の扉のいずれか一方の扉における反枢支側の側部の内側面に上下方向に取付けられ、回動が可能な仕切体とを備えたものにおいて、前記収納室の開口部の上縁部または下縁部のうち一方に取付けられた第１案内ピンと、第１案内ピンの近傍の設けた第２案内ピンとを有し、前記第１案内ピンと第２案内ピンの高さを異なるものとするとともに、前記仕切体の端部には前記案内ピンと係合する第１カムと第２カムとを備え、前記第１案内ピンは第２案内ピンよりも仕切体の回転軸からの距離が遠くなるように配置し、前記第２案内ピンは第１案内ピンよりも仕切体の回転軸から近い側で、第一案内ピンよりも高くなるようにそれぞれ配置され、前記第１カムは第１案内ピンと第２案内ピンとを覆うように配置され、前記第２カムは第１案内カムよりも高さを低くし第１カムの内側に配置したことを特徴とする冷蔵庫の扉装置。
【請求項３】
第１案内ピンと第２案内ピンは一体成形品で構成されていることを特徴とする請求項１または２に記載の冷蔵庫の扉装置。
【請求項４】
第１カムと第２カムは一体成形品で構成されていることを特徴とする請求項２または３に記載の冷蔵庫の扉装置。
【請求項５】
第１案内ピンと第１カムは仕切体本体よりも庫内側に突出して配置したことを特徴とする請求項２から４のいずれか一項に記載の冷蔵庫の扉装置。
【請求項６】
第２カムは第１カムの曲率より大きく設定していることを特徴とする請求項２から５のいずれか一項に記載の冷蔵庫の扉装置。
【請求項７】
扉の内板上部には凹み形状が設けられていることを特徴とする請求項５に記載の冷蔵庫の扉装置。
【発明の詳細な説明】
【技術分野】
【０００１】
本発明は、冷蔵庫の観音式扉に関するものである。
【背景技術】
【０００２】
近年、家庭用冷蔵庫の扉装置においては冷蔵庫上部に配置された冷蔵室の開口部前面に２枚の回転扉を設けた、いわゆる観音式扉装置を採用したものが提供されている。
【０００３】
従来、観音式扉装置において、特許文献１に参照するように収納室上端面に案内ピンと、カム機構が設けられたものが提案されている（例えば、特許文献１参照）。
【０００４】
以下、従来の冷蔵庫について図面を参照にしながら説明する。
【０００５】
図７は従来の冷蔵庫の正面斜視図である。図８は扉閉状態での扉平面図である。図９は左扉開状態での扉平面図である。
【０００６】
図７、図８、図９に示すように１は冷蔵庫本体で、冷蔵庫本体１には冷蔵室２、野菜室３、冷凍室４、製氷室５を備えている。冷蔵室２には前縁開口部を閉塞する冷蔵室右扉６、冷蔵室左扉７を備えている。冷蔵室右扉６と冷蔵室左扉７は冷蔵庫本体１に取付けられたヒンジ８、９により支えられ、このヒンジ８、９を中心に回転して開閉する。また、冷蔵室右６と冷蔵室左扉７は、ガスケット１０、１１を備え、冷蔵室右扉６と冷蔵室左扉７が閉じているときに冷気が冷蔵室内から漏れるのを防止している。
【０００７】
回転仕切体１２は扉内板１３に取付けたヒンジ１４により冷蔵室左扉７に設置され、回転仕切体１２自体が自由に回転できるようになっている。
【０００８】
また、回転仕切体１２に設けられた案内溝１５は、冷蔵庫本体１に固定設置された案内ピン１６を出入りすることで、起こされたり、畳まれたりという回転運動をおこなう。即ち、この回転仕切体１２が起こされた際には、回転仕切体１２が、冷蔵室右扉８に設けたガスケット１０の受け面を形成する。そして、冷蔵庫本体１は、回転仕切体１２が受け面を形成することにより、冷蔵室右扉６と冷蔵室左扉７との間をシールすることができる。回転仕切体１２の前面の材質は鉄であり冷蔵室左扉閉時はガスケット１０と接着され回転仕切体が常にシールできるような構成となっている。また、回転仕切体１２は冷蔵室左扉７を開ける際、案内ピン１６を支点に回転しながらガスケット１０より引き剥がされる動作をするため、冷蔵室左扉７を開ける力は案内ピン１６の位置に大きく依存している。
【特許文献１】特開平７−２３４０６８号公報
【発明の開示】
【発明が解決しようとする課題】
【０００９】
しかしながら、上記従来の構成では左扉を開ける際の力点となる仕切体のヒンジと、回転の支点となる案内ピンとの距離が近く、力の作用部であるガスケットまでの距離が遠いため、冷蔵室左扉を開くのに大きな力が必要になるという問題点を有していた。案内ピンを仕切体のヒンジから遠ざけると、冷蔵室左扉を閉じる際に案内ピンが冷蔵室右扉に隠れてしまい仕切体が回転収納しなくなるという課題がある。また、案内ピンを仕切体のヒンジから遠ざけることができても、冷蔵室左扉を開ける際、冷蔵室左扉を開ける量に対して仕切体の回転する量が少ないために、仕切体が冷蔵室右扉にぶつかり、反ヒンジ方向の扉が使用者の意図に反して開いてしまうという問題点も有している。
【００１０】
本発明は、上記従来の課題を解決するもので、少ない力で開けることのできる冷蔵庫の扉装置を提供することを目的とする。
【課題を解決するための手段】
【００１１】
上記従来の課題を解決するために、本発明の冷蔵庫の扉装置は、冷蔵庫等に設けられた収納室と、前記収納室の開口部の左右両側に一側部が枢支され、回動により前記開口部を開閉する第１の扉と第２の扉と、前記第１の扉と第２の扉のいずれか一方の扉における反枢支側の側部の内側面に上下方向に取付けられ、回動が可能な仕切体とを備えたものにおいて、前記収納室の開口部の上縁部または下縁部のうち一方に併設して高さが異なる２つの案内ピンを設け、前記２つの案内ピンと係合するカムを前記仕切体の端部に設け、前記仕切体を有する扉の開動作と閉動作とで異なる案内ピンに当接するものである。
【００１２】
これによって、従来の仕様と比較して部品点数を増やすことなく、扉を少ない力で開けることのできる冷蔵庫の扉装置を提供することができる。
【発明の効果】
【００１３】
本発明の扉装置は、少ない力で開閉可能な観音式扉を有する冷蔵庫を提供することができる。
【発明を実施するための最良の形態】
【００１４】
請求項１に記載の発明は、冷蔵庫等に設けられた収納室と、前記収納室の開口部の左右両側に一側部が枢支され、回動により前記開口部を開閉する第１の扉と第２の扉と、前記第１の扉と第２の扉のいずれか一方の扉における反枢支側の側部の内側面に上下方向に取付けられ、回動が可能な仕切体とを備えたものにおいて、前記収納室の開口部の上縁部または下縁部のうち一方に併設して高さが異なる２つの案内ピンを設け、前記２つの案内ピンと係合するカムを前記仕切体の端部に設け、前記仕切体を有する扉の開動作と閉動作とで異なる案内ピンに当接するものであり、開扉時と閉扉時に前記仕切体の端部に設けたカムと係合する案内ピンを第１案内ピンと第２案内ピンに使い分けることができ、これにより仕切体の回転動作をスムーズに行うことができ、扉の操作性を高めることができる。
【００１５】
請求項２に記載の発明は、冷蔵庫等に設けられた収納室と、前記収納室の開口部の左右両側に一側部が枢支され、回動により前記開口部を開閉する第１の扉と第２の扉と、前記第１の扉と第２の扉のいずれか一方の扉における反枢支側の側部の内側面に上下方向に取付けられ、回動が可能な仕切体とを備えたものにおいて、前記収納室の開口部の上縁部または下縁部のうち一方に取付けられた第１案内ピンと、第１案内ピンの近傍の設けた第２案内ピンとを有し、前記第１案内ピンと第２案内ピンの高さを異なるものとするとともに、前記仕切体の端部には前記案内ピンと係合する第１カムと第２カムとを備え、前記第１案内ピンは第２案内ピンよりも仕切体の回転軸からの距離が遠くなるように配置し、前記第２案内ピンは第１案内ピンよりも仕切体の回転軸から近い側で、第一案内ピンよりも高くなるようにそれぞれ配置され、前記第１カムは第１案内ピンと第２案内ピンとを覆うように配置され、前記第２カムは第１案内カムよりも高さを低くし第１カムの内側に配置したものであり、扉の開き始めにおいては、第１案内ピンが第１カムに対する支点、仕切体の回転軸が力点、ガスケットの吸着面が作用点となり、支点である第１案内ピンは作用点であるガスケット面により近いため、少ない力で仕切体とマグネットガスケットを切り離すことが出来るため、少ない力で扉を開けることができる。また、マグネットガスケットを引き離した後は、第２案内ピンが第２カムに対する支点となり、力点である仕切体の回転軸に近づき力の効率は悪くなるが、すでにマグネットガスケットを引き離しているためにスムーズに回動することができる。
【００１６】
請求項３に記載の発明は、請求項１または２に記載の発明において、第１案内ピンと第２案内ピンは一体成形品で構成されているものであり、部品点数を減らすことができるためコストダウンとなる。
【００１７】
請求項４に記載の発明は、請求項２または３に記載の発明において、第１カムと第２カムは一体成形品で構成されているものであり、部品点数を減らすことができるためコストダウンとなる。
【００１８】
請求項５に記載の発明は、請求項２から４のいずれか一項に記載の発明において、第１案内ピンと第１カムは仕切体本体よりも庫内側に突出して配置したものであり、第１案内ピンを仕切体の回転支点から遠ざけることが可能となり、より扉を少ない力で開けることができる。
【００１９】
請求項６に記載の発明は、請求項２から５のいずれか一項に記載の発明において、第２カムは第１カムの曲率より大きく設定しているものであり、仕切体をマグネットガスケットより切り離した後、さらに回転スピードを速めることができるため、仕切体が右扉に当接することがなく少ない力で扉を開けることができる。
【００２０】
請求項７に記載の発明は、請求項５に記載の発明において、扉の内板上部には凹み形状が設けられているものであり、カムを内板に収納することができ意匠を損なうことなく、少ない力で開けることができる扉装置を提供することができる。
【００２１】
以下、本発明による冷蔵庫の実施の形態について、図面を参照しながら説明する。なお、この実施の形態によってこの発明が限定されるものではない。
【００２２】
（実施の形態１）
以下、本発明の実施の形態１を図１から図５に基づいて説明する。図１は本発明の実施の形態１における冷蔵庫の扉開状態を示す斜視図、図２は本発明の実施の形態１における左冷蔵室扉を閉鎖および開放した状態の平面断面図、図３は本発明の実施の形態１における左右冷蔵室扉を閉鎖した状態の平面詳細断面図、図４は本発明の実施の形態１における左右冷蔵室扉を開放した状態の上部斜視図、図５は本発明の実施の形態１における左冷蔵室扉の開放動作中間状態の平面断面図、図６（ａ）は本発明の実施の形態１における冷蔵庫の左冷蔵室扉の背面斜視図、図６（ｂ）は本発明の実施の形態１における図６（ａ）のＡ部拡大図である。
【００２３】
図１に示すように、冷蔵庫本体２１の上部に冷蔵室２２が配置されている。そして、その冷蔵室２２の前面には、冷蔵室２２の前面開口部を開閉するための短形状をなす右冷蔵室扉２３および左冷蔵室扉２４が設けられている。これらの右冷蔵室扉２３、左冷蔵室扉２４はそれぞれ外側に一部がヒンジ２５により枢支されることによって、中央側から左右に開閉する、いわゆる観音開き式とされている。
【００２４】
図２、図３に示すように、これらの右冷蔵室扉２３と左冷蔵室扉２４は内箱２６と外板２７と上部蓋体と下部蓋体（図示せず）とそれを断熱一体発泡するためのウレタン２８より構成されている。右冷蔵室扉２３と左冷蔵室扉２４の内箱外周には溝形状２９が設けられ、閉鎖時の機密性を確保するためのマグネットガスケット３０が枠状に嵌め込み配置されている。各扉の中央側の辺部に位置する部分にマグネットガスケット３０を受け両扉間をシールするとともに、両扉を開放させたときに冷蔵室の開口部全体を開放させるための仕切体３１が左冷蔵室扉２４に回動自在に設けられている。
【００２５】
仕切体３１は断面が長方形状をなす上下に細長い柱状をなし、左冷蔵室扉２４の右側の裏面に沿って設けられている。この場合、仕切体３１は左冷蔵室扉２４に設けられた支持部材３２に、回転軸３３を中心として水平方向に回動可能に取付けられている。これにて、仕切体３１は実線で示すような左冷蔵室２４の右側方へ突出して両扉間に位置された突出位置と、同図に二点鎖線で示すような左冷蔵室扉２４の側部に後方側へ折り畳まれた状態となる退避位置との間を回動変位可能とされている。この仕切体３１は左冷蔵室扉２４の閉鎖状態においては、突出位置にあってマグネットガスケット３０を受けるようになっており、左冷蔵室扉２４の開放状態においては右冷蔵室扉に当接しないように退避位置とされるようになっている。以下、仕切体３１を突出位置と退避位置との間を回動変位させるための構造について記述する。
【００２６】
図４に示すように、冷蔵室２２の開口部における上縁部所定位置には、下方に突出する第１案内ピン３４と第２案内ピン３５を有する短形板状の上部レール部材３６が設けられている。また、図３に示すように、第１案内ピン３４は第２案内ピン３５と比較すると、仕切体の回転軸３３より遠くなるように配置されている。また、図４に示すように第１案内ピン３４は第２案内ピン３５と比較すると高さを低く設定してある。また、図６に示すように第１案内ピン３４と第１カム３７は、仕切体３１の本体外形位置よりも外側に延出して配置されている。
【００２７】
第２案内ピン３５は第１案内ピンと比較すると仕切体の回転軸３３に近い側に配置されている。また、図４に示すように第１案内ピン３５と比較すると背を高く設定してある。そして、図６に示すように仕切体３１の上端部には、第１案内ピン３４と第２案内ピン３５が相対的に摺動する第１カム３７と第２カム形状３８を有する上部仕切カバー３９が設けられている。図３に示すように、第１カム３７は第１案内ピンと第２案内ピンの両方を覆うように配置され、第２カム３８は第１カム３７の内側に設けられている。また、図６に示すように第２カム３８は第１カム３７よりも高さ方向で低い位置に設定され、第２カム３８は第１カム３７の曲率より大きく設定している。
【００２８】
以上のように構成された扉装置について以下その動作、作用を説明する。
【００２９】
図２に示すように、左冷蔵室扉２４と右冷蔵室扉２３がともに閉鎖された状態では、仕切体３１は突出位置に保持されている。また、右冷蔵室扉２３のみが開放された状態においても仕切体３１は突出位置に保持されている。これらの状態において左冷蔵室扉２４の開放動作を行うと、図３に示すように第１の案内ピン３４が第１のカム３７を相対的に摺動することにより、第１カム３７が第１案内ピン３４に押圧されて、仕切体３１が回動支点３３を中心に反時計回りにマグネットガスケット３０と仕切体３１が離れる位置まで回動される。また、図５に示すように仕切体３１は一定の角度を回転しマグネットガスケット３０より離れた後に、第１案内ピン３４と第１カム３７は離れ、仕切体の回転支点は第２案内ピン３５と第２カム３８に移動するように設定してある。それにより、第２案内ピンが第２のカム３７を相対的に摺動し、第２カム３７が第２案内ピン３４に押圧されて、仕切体３１が回動支点３３を中心に反時計回りに退避位置まで回動される。
【００３０】
以上のように、仕切体３１の回転軸３３より、出来るだけ離れた位置に第１案内ピン３４と第１カム３５を設けることにより、扉の開き始めの仕切体３１の回転運動においては、第１案内ピン３４が第１カム３７に対する支点、仕切体３１の回転軸が力点、マグネットガスケット３０の吸着面が作用点となり、支点である第１案内ピン３４は作用点であるマグネットガスケット３０面により近いため、少ない力で仕切体とマグネットガスケット３０を切り離すことが可能となり、少ない力で扉を開けることができる。また、第１カムを仕切体３１本体より外側へ突出させることにより、第１案内ピン３４も仕切体の回転軸３３より遠くへ配置することが可能となり、より軽い力で仕切体を回転させることができる。しかしながら、第１案内ピンと第１カムのみによる仕切体の回転では、左冷蔵室扉２４の開く量に対して仕切体の回転量が不足するため、左冷蔵室扉２４を開けるときに仕切体３１が右冷蔵室扉２３に当接してしまう。これを補う役割を果たしているのが第２案内ピン３４と第２カム３７である。
【００３１】
すなわち、第２カム３８は第１カム３７の曲率より大きく設定しているため、仕切体３１の回転支点が第２案内ピン３５に切り替わってからは、ドア開放量に対する仕切体３１の回転量が増加するため、仕切体３１が右冷蔵室扉２３と当接することがない。
【００３２】
また、図５で示すように第１案内ピン３４と第１カム３７による初期の仕切体３１の回転により仕切体３１はマグネットガスケット３０より切り離されているため、仕切体３１を回転させる役割が第２案内ピンと第２カム３８に移行し、仕切体３１の回転支点が仕切体３１の回転軸３３近傍になっても左冷蔵室扉２４を開けるのに必要な力が増加することはない。
【００３３】
また、図６に示すように左冷蔵室２４背面に配置された内板２６の上部仕切体側には凹み形状５０が設けられていることにより、扉を軽く開く目的で設けられた仕切体上部の第１カム３７を収納することができる。これにより、左冷蔵室扉２４を開いても、意匠的に阻害されることはなく軽く開くことの出来る冷蔵庫の扉装置を提供することが出来る。
【００３４】
なお、上記実施例では第１案内ピン３４と第２案内ピン３５は冷蔵庫の開口部における上縁部所定位置に配置され、第１カム３７と第２カム３８は左冷蔵室扉２４の仕切体３１上部に配置されているが、第１案内ピン３４と第２案内ピン３５は冷蔵庫の開口部における下縁部所定位置とし、第１カム３７と第２カム３８は左冷蔵室扉２４の仕切体３１下部に配置してもよい。また、仕切体３１を設ける扉を右冷蔵室扉２３としても良い。
【産業上の利用可能性】
【００３５】
以上のように、本発明にかかる冷蔵庫の扉装置は、仕切体を有する観音式の扉において、室内の使い勝手や意匠性を阻害せず、少ない力で開くことのできる扉装置を提供することが可能となるもので、冷蔵庫に限らず観音開き式の扉を有する各種の装置に適用することができる。
【図面の簡単な説明】
【００３６】
【図１】本発明の実施の形態１における冷蔵庫の扉開状態を示す斜視図
【図２】本発明の実施の形態１における左冷蔵室扉を閉鎖および開放した状態の平面断面図
【図３】本発明の実施の形態１における左右冷蔵室扉を閉鎖した状態の平面詳細断面図
【図４】本発明の実施の形態１における左右冷蔵室扉を開放した状態の上部斜視図
【図５】本発明の実施の形態１における左冷蔵室扉の開放動作中間状態の平面断面図
【図６】（ａ）本発明の実施の形態１における冷蔵庫の左冷蔵室扉の背面斜視図（ｂ）本発明の実施の形態１における図６（ａ）のＡ部拡大図
【図７】従来の冷蔵庫の扉開状態を示す斜視図
【図８】従来の冷蔵庫の扉閉状態の平面図
【図９】従来の冷蔵庫の扉開状態の平面図
【符号の説明】
【００３７】
２４  左冷蔵室扉
２５  ヒンジ
３０  マグネットガスケット
３１  仕切体
３３  回転軸
３４  第１案内ピン
３５  第２案内ピン
３７  第１カム
３８  第２カム
【図１】
2007064600.tif 000003
【図２】
2007064600.tif 000004
【図３】
2007064600.tif 000005
【図４】
2007064600.tif 000006
【図５】
2007064600.tif 000007
【図６】
2007064600.tif 000008
【図７】
2007064600.tif 000009
【図８】
2007064600.tif 000010
【図９】
2007064600.tif 000011